(57)【要約】【課題】ヒートポンプ１１８と吸放湿手段１１９を用い、循環経路１１１のない単純な構成で、効率の良い除湿が行うとともに、除湿対象物に供給する空気温度を所望の温度に調整することができる除湿装置を提供する。【解決手段】除湿対象空気１１６を、放熱器１０３においてヒートポンプ１１８の放熱により加熱し、次に放湿部１２１において吸放湿手段１１９の放湿により加湿し、次に吸熱器１０５においてヒートポンプ１１８の吸熱により冷却し、次に吸湿部１２０において吸放湿手段１１９の吸湿により除湿することによって、吸湿部１２０に供給される除湿対象空気１１６と放湿部１２１に供給される除湿対象空気１１６との相対湿度差を拡大し、循環経路１１１を設けない単純な構成で吸放湿手段１１９の吸放湿量を増加することができる。さらに温度制御手段８を備えることによって、除湿対象物４に供給する空気温度を所望の温度に調整することができる。【選択図】図１
2006212504.tif 000002
【特許請求の範囲】
【請求項１】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給した後、除湿対象物（４）に供給する除湿装置において、前記除湿対象物（４）に供給する空気の温度を制御する温度制御手段（８）を備えた構成としたことを特徴とする除湿装置。
【請求項２】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給した後、除湿対象物（４）に供給するとともに、前記放熱器（１０３）に加熱対象空気（６）を供給する除湿装置において、前記除湿対象物（４）に供給する空気の温度を制御する温度制御手段（８）を備えた構成としたことを特徴とする除湿装置。
【請求項３】
温度制御手段（８）を、放熱器（１０３）に供給された後の加熱対象空気（６）の除湿対象空気（１１６）への合流量を制御する構成としたことを特徴とする請求項２記載の除湿装置。
【請求項４】
温度制御手段（８）を、除湿対象物（４）への供給空気温度が目標値より高いときに、加熱対象空気（６）の合流量を減少させる構成としたことを特徴とする請求項３記載の除湿装置。
【請求項５】
温度制御手段（８）を、除湿対象物（４）への供給空気温度が目標値より低いときに、加熱対象空気（６）の合流量を増加させる構成としたことを特徴とする請求項３または４記載の除湿装置。
【請求項６】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給した後、除湿対象物（４）に供給するとともに、前記吸湿部（１２０）に除湿補助空気（７）を供給する除湿装置において、前記除湿対象物（４）に供給する空気の温度を調整する温度制御手段（８）を備えた構成としたことを特徴とする除湿装置。
【請求項７】
温度制御手段（８）を、吸湿部（１２０）に供給された後の除湿補助空気（７）の除湿対象空気（１１６）への合流量を制御する構成としたことを特徴とする請求項６記載の除湿装置。
【請求項８】
温度制御手段（８）を、除湿対象物（４）への供給空気温度が目標値より高いときに、除湿補助空気（７）の合流量を減少させる構成としたことを特徴とする請求項７記載の除湿装置。
【請求項９】
温度制御手段（８）を、除湿対象物（４）への供給空気温度が目標値より低いときに、除湿補助空気（７）の合流量を増加させる構成としたことを特徴とする請求項７または８記載の除湿装置。
【請求項１０】
冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、供給空気を加熱する加熱手段（１６）とを備え、除湿対象空気（１１６）を前記放熱器（１０３）および前記加熱手段（１６）で加熱し、次に前記放湿部（１２１）の放湿により加湿し、次に前記吸熱器（１０５）の吸熱により冷却し、次に前記吸湿部（１２０）の吸湿により除湿した後、除湿対象物（４）に供給する除湿装置において、前記除湿対象物（４）に供給する空気の温度を制御する温度制御手段（８）を備えた構成としたことを特徴とする除湿装置。
【請求項１１】
温度制御手段（８）を、加熱手段（１６）の加熱量を制御する構成としたことを特徴とする請求項１０記載の除湿装置。
【請求項１２】
温度制御手段（８）を、除湿対象物（４）への供給空気温度が目標値より高いときに、加熱手段（１６）の加熱量を減少させる構成としたことを特徴とする請求項１１記載の除湿装置。
【請求項１３】
温度制御手段（８）を、除湿対象物（４）への供給空気温度が目標値より低いときに、加熱手段（１６）の加熱量を増加させる構成としたことを特徴とする請求項１１または１２記載の除湿装置。
【請求項１４】
吸放湿手段（１１９）を、ハニカムローター（１０８）に担持された吸着剤（１０７）が、吸湿部（１２０）において除湿対象空気（１１６）から水分を吸着するとともに放湿部（１２１）において除湿対象空気（１１６）へ水分を脱着するように前記ハニカムローター（１０８）を配し、前記ハニカムローター（１０８）の回転によって、前記吸湿部（１２０）における水分吸着と前記放湿部（１２１）における水分脱着を繰り返すように構成し、温度制御手段（８）を、前記ハニカムローター（１０８）の回転速度を制御する構成としたことを特徴とする請求項１、２、３、４、５、６、７、８、９、１０、１１、１２または１３記載の除湿装置。
【請求項１５】
温度制御手段（８）を、除湿対象物（４）への供給空気温度が目標値より高いときに、ハニカムローター（１０８）の回転速度を遅くするもしくは停止する構成としたことを特徴とする請求項１４記載の除湿装置。
【請求項１６】
温度制御手段（８）を、除湿対象物（４）への供給空気温度が目標値より低いときに、ハニカムローター（１０８）の回転速度を速くする構成としたことを特徴とする請求項１４または１５記載の除湿装置。
【請求項１７】
温度制御手段（８）を、設定された運転モードに従って温度制御動作を実行する構成としたことを特徴とする請求項１、２、３、４、５、６、７、８、９、１０、１１、１２、１３、１４、１５または１６記載の除湿装置。
【発明の詳細な説明】
【技術分野】
【０００１】
本発明は、圧縮機、放熱器、膨張機構、吸熱器等から構成されるヒートポンプと、吸着剤や吸収剤を用いて吸放湿を行う吸放湿手段を備えた除湿装置に関する。
【背景技術】
【０００２】
従来のヒートポンプと吸放湿手段を備えた除湿装置としては、放熱器、吸放湿手段の放湿部、吸熱器の順に空気を循環させるものがある（例えば、特許文献１参照）。
【０００３】
以下、その除湿装置について図１０を参照しながら説明する。
【０００４】
図１０に示すように、除湿装置の本体１０１内には、圧縮機１０２、放熱器１０３、膨張機構１０４、吸熱器１０５を配管接続した冷媒回路１０６と、吸着剤１０７が担持されたハニカムローター１０８が設けられており、循環ファン１０９によって送風される循環空気１１０が、放熱器１０３、ハニカムローター１０８の一部、吸熱器１０５の順に循環するように循環経路１１１が形成されている。また、ハニカムローター１０８の他の部分は、吸込口１１２および吹出口１１３を開口した供給経路１１４内に配置されており、供給ファン１１５によって除湿対象空気１１６が供給されている。また、冷媒回路１０６内には冷媒１１７が充填されており、この冷媒１１７が、圧縮機１０２で圧縮されることによって、放熱器１０３、膨張機構１０４、吸熱器１０５の順に冷媒回路１０６内を循環し、放熱器１０３において循環空気１１０に放熱するとともに、吸熱器１０５において循環空気１１０から吸熱することによってヒートポンプ１１８を動作させている。ハニカムローター１０８は、図示しない駆動手段によって回転しており、この回転に伴いハニカムローター１０８に担持された吸着剤１０７が、循環経路１１１内における循環空気１１０との接触と供給経路１１４内における除湿対象空気１１６との接触を繰り返している。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、循環経路１１１内で吸着剤１０７と接触する循環空気１１０は、放熱器１０３において冷媒１１７の放熱により加熱されて除湿対象空気１１６よりも低い相対湿度の空気となっているので、この相対湿度の差によって、吸着剤１０７が、除湿対象空気１１６中の水分を吸着し、吸着した水分を循環空気１１０中に脱着するように作用する。この吸脱着作用によって吸放湿手段１１９としての動作が為されることとなり、ハニカムローター１０８の供給経路１１４内に位置する部分が除湿対象空気１１６から吸湿する吸湿部１２０、ハニカムローター１０８の循環経路１１１内に位置する部分が循環空気１１０へ放湿する放湿部１２１となる。吸湿部１２０において吸湿された除湿対象空気１１６は低湿の空気となって吹出口１１３から本体１０１外部に流出し、また、放湿部１２１において放湿された循環空気１１０は、高湿の空気となって吸熱器１０５に供給される。吸熱器１０５に供給された高湿の循環空気１１０は、冷媒１１７の吸熱によって露点温度以下まで冷却されて空気中の水分が飽和する。この飽和した水分が凝縮してタンク１２２に滴下し、このタンク１２２に溜まった凝縮水の量が除湿装置の除湿量となるのである。
【特許文献１】特開昭６３−１４２３号公報（第２−３頁、第１図）
【発明の開示】
【発明が解決しようとする課題】
【０００５】
以上の例では、吸湿部１２０において除湿対象空気１１６から吸湿し、この吸湿した水分を、放熱器１０３で加熱した高温の循環空気１１０を放湿部１２１に供給することによって放湿させ、この放湿させた水分を含んだ高湿の循環空気１１０を吸熱器１０５において冷却して水分を飽和させることにより除湿するようにしている。したがって循環空気１１０を放熱器１０３、放湿部１２１、吸熱器１０５に循環させる循環経路１１１を密閉性よく本体１０１内に形成する必要があり、装置構成が複雑化するという課題があった。そして循環経路１１１の密閉度が低い場合には、除湿対象空気１１６と循環空気１１０との湿度移行が発生して除湿効率が低下するという課題があった。
【０００６】
本発明は上記課題を解決するものであり、循環経路１１１のない単純な構成で、効率の良い除湿を行うとともに、除湿対象物に供給する空気温度を所望の温度に調整することができる除湿装置を提供することを目的としている。
【課題を解決するための手段】
【０００７】
上記した目的を達成するために、本発明が講じた第１の課題解決手段は、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給した後、除湿対象物（４）に供給する除湿装置において、前記除湿対象物（４）に供給する空気の温度を制御する温度制御手段（８）を備えた構成としたものである。
【０００８】
この手段では、温度制御手段（８）が、除湿対象物（４）に供給される空気の温度を制御する。これにより除湿対象物（４）に送風される空気温度が所望の温度に調整されることになる。
【０００９】
また、本発明が講じた第２の課題解決手段は、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給した後、除湿対象物（４）に供給するとともに、前記放熱器（１０３）に加熱対象空気（６）を供給する除湿装置において、前記除湿対象物（４）に供給する空気の温度を制御する温度制御手段（８）を備えた構成としたものである。
【００１０】
この手段では、温度制御手段（８）が、除湿対象物（４）に供給される空気の温度を制御する。これにより除湿対象物（４）に送風される空気温度が所望の温度に調整されることになる。
【００１１】
また、本発明が講じた第３の課題解決手段は、上記第２の課題解決手段において、温度制御手段（８）を、放熱器（１０３）に供給された後の加熱対象空気（６）の除湿対象空気（１１６）への合流量を制御する構成としたものである。
【００１２】
この手段では、温度制御手段（８）が除湿対象空気（１１６）への加熱対象空気（６）の合流量を制御する。これにより放熱器（１０３）で加熱された高温の加熱対象空気（６）の合流量が制御されるので、除湿対象物（４）に送風する空気温度が所望の温度に調整されることになる。
【００１３】
また、本発明が講じた第４の課題解決手段は、上記第３の課題解決手段において、温度制御手段（８）を、除湿対象物（４）への供給空気温度が目標値より高いときに、加熱対象空気（６）の合流量を減少させる構成としたものである。
【００１４】
この手段では、温度制御手段（８）が除湿対象物（４）への供給空気温度が目標値より高いときに加熱対象空気（６）の合流量を減少するように制御する。これにより放熱器（１０３）で加熱された高温の加熱対象空気（６）の除湿対象物（４）への供給量が減少するので、除湿対象物（４）に送風する空気温度が低下して目標値に近づくことになる。
【００１５】
また、本発明が講じた第５の課題解決手段は、上記第３または第４の課題解決手段において、温度制御手段（８）を、除湿対象物（４）への供給空気温度が目標値より低いときに、加熱対象空気（６）の合流量を増加させる構成としたものである。
【００１６】
この手段では、温度制御手段（８）が除湿対象物（４）への供給空気温度が目標値より低いときに加熱対象空気（６）の合流量を増加するように制御する。これにより放熱器（１０３）で加熱された高温の加熱対象空気（６）の除湿対象物（４）への供給量が増加するので、除湿対象物（４）に送風する空気温度が上昇して目標値に近づくことになる。
【００１７】
また、本発明が講じた第６の課題解決手段は、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給した後、除湿対象物（４）に供給するとともに、前記吸湿部（１２０）に除湿補助空気（７）を供給する除湿装置において、前記除湿対象物（４）に供給する空気の温度を調整する温度制御手段（８）を備えた構成としたものである。
【００１８】
この手段では、温度制御手段（８）が、除湿対象物（４）に供給される空気の温度を制御する。これにより、除湿対象物（４）に送風される空気温度が所望の温度に調整されることになる。
【００１９】
また、本発明が講じた第７の課題解決手段は、上記第６の課題解決手段において、温度制御手段（８）を、吸湿部（１２０）に供給された後の除湿補助空気（７）の除湿対象空気（１１６）への合流量を制御する構成としたものである。
【００２０】
この手段では、温度制御手段（８）が除湿対象空気（１１６）への除湿補助空気（７）の合流量を制御する。これにより吸湿部（１２０）で吸湿された高温低湿の除湿補助空気（７）の合流量が制御されるので、除湿対象物（４）に送風する空気温度が所望の温度に調整されることになる。
【００２１】
また、本発明が講じた第８の課題解決手段は、上記第７の課題解決手段において、温度制御手段（８）を、除湿対象物（４）への供給空気温度が目標値より高いときに、除湿補助空気（７）の合流量を減少させる構成としたものである。
【００２２】
この手段では、温度制御手段（８）が除湿対象物（４）への供給空気温度が目標値より高いときに除湿補助空気（７）の合流量を減少するように制御する。これにより吸湿部（１２０）で吸湿された高温低湿の除湿補助空気（７）の除湿対象物（４）への供給量が減少するので、除湿対象物（４）に送風する空気温度が低下して目標値に近づくことになる。
【００２３】
また、本発明が講じた第９の課題解決手段は、上記第７または第８の課題解決手段において、温度制御手段（８）を、除湿対象物（４）への供給空気温度が目標値より低いときに、除湿補助空気（７）の合流量を増加させる構成としたものである。
【００２４】
この手段では、温度制御手段（８）が除湿対象物（４）への供給空気温度が目標値より高いときに除湿補助空気（７）の合流量を増加するように制御する。これにより吸湿部（１２０）で吸湿された高温低湿の除湿補助空気（７）の除湿対象物（４）への供給量が増加するので、除湿対象物（４）に送風する空気温度が上昇して目標値に近づくことになる。
【００２５】
また、本発明が講じた第１０の課題解決手段は、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、供給空気を加熱する加熱手段（１６）とを備え、除湿対象空気（１１６）を前記放熱器（１０３）および前記加熱手段（１６）で加熱し、次に前記放湿部（１２１）の放湿により加湿し、次に前記吸熱器（１０５）の吸熱により冷却し、次に前記吸湿部（１２０）の吸湿により除湿した後、除湿対象物（４）に供給する除湿装置において、前記除湿対象物（４）に供給する空気の温度を制御する温度制御手段（８）を備えた構成としたものである。
【００２６】
この手段では、温度制御手段（８）が、除湿対象物（４）に供給される空気の温度を制御する。これにより、除湿対象物（４）に送風される空気温度が所望の温度に調整されることになる。
【００２７】
また、本発明が講じた第１１の課題解決手段は、上記第１０の課題解決手段において、温度制御手段（８）を、加熱手段（１６）の加熱量を制御する構成としたものである。
【００２８】
この手段では、温度制御手段（８）が加熱手段（１６）の加熱量を制御する。これにより加熱手段（１６）の加熱による除湿対象空気（１１６）の温度上昇量が制御されるので、除湿対象物（４）に送風する空気温度が所望の温度に調整されることになる。
【００２９】
また、本発明が講じた第１２の課題解決手段は、上記第１１の課題解決手段において、温度制御手段（８）を、除湿対象物（４）への供給空気温度が目標値より高いときに、加熱手段（１６）の加熱量を減少させる構成としたものである。
【００３０】
この手段では、温度制御手段（８）が除湿対象物（４）への供給空気温度が目標値より高いときに加熱手段（１６）の加熱量を減少するように制御する。これにより加熱手段（１６）の加熱による除湿対象空気（１１６）の温度上昇量が減少するので、除湿対象物（４）に送風する空気温度が低下して目標値に近づくことになる。
【００３１】
また、本発明が講じた第１３の課題解決手段は、上記第１１または第１２の課題解決手段において、温度制御手段（８）を、除湿対象物（４）への供給空気温度が目標値より低いときに、加熱手段（１６）の加熱量を増加させる構成としたものである。
【００３２】
この手段では、温度制御手段（８）が除湿対象物（４）への供給空気温度が目標値より低いときに加熱手段（１６）の加熱量を増加するように制御する。これにより加熱手段（１６）の加熱による除湿対象空気（１１６）の温度上昇量が増加するので、除湿対象物（４）に送風する空気温度が上昇して目標値に近づくことになる。
【００３３】
また、本発明が講じた第１４の課題解決手段は、上記第１、第２、第３、第４、第５、第６、第７、第８、第９、第１０、第１１、第１２または第１３の課題解決手段において、吸放湿手段（１１９）を、ハニカムローター（１０８）に担持された吸着剤（１０７）が、吸湿部（１２０）において除湿対象空気（１１６）から水分を吸着するとともに放湿部（１２１）において除湿対象空気（１１６）へ水分を脱着するように前記ハニカムローター（１０８）を配し、前記ハニカムローター（１０８）の回転によって、前記吸湿部（１２０）における水分吸着と前記放湿部（１２１）における水分脱着を繰り返すように構成し、温度制御手段（８）を、前記ハニカムローター（１０８）の回転速度を制御する構成としたものである。
【００３４】
この手段では、温度制御手段（８）がハニカムローター（１０８）の回転速度を制御する。これにより、吸着剤（１０７）の除湿対象空気（１１６）からの吸着量が変化し、除湿対象空気（１１６）の吸着熱による温度上昇量が制御されるので、除湿対象物（４）に送風する空気温度が所望の温度に調整されることになる。
【００３５】
また、本発明が講じた第１５の課題解決手段は、上記第１４の課題解決手段において、温度制御手段（８）を、除湿対象物（４）への供給空気温度が目標値より高いときに、ハニカムローター（１０８）の回転速度を遅くするもしくは停止する構成としたものである。
【００３６】
この手段では、温度制御手段（８）が除湿対象物（４）への供給空気温度が目標値より高いときにハニカムローター（１０８）の回転速度を遅くするもしくは停止するように制御する。これにより、吸着剤（１０７）の除湿対象空気（１１６）からの吸着量が減少し、除湿対象空気（１１６）の吸着熱による温度上昇量も減少するので、除湿対象物（４）に送風する空気温度が低下して目標値に近づくことになる。
【００３７】
また、本発明が講じた第１６の課題解決手段は、上記第１４または第１５の課題解決手段において、温度制御手段（８）を、除湿対象物（４）への供給空気温度が目標値より低いときに、ハニカムローター（１０８）の回転速度を速くする構成としたものである。
【００３８】
この手段では、温度制御手段（８）が除湿対象物（４）への供給空気温度が目標値より低いときにハニカムローター（１０８）の回転速度を速くするように制御する。これにより吸着剤（１０７）の除湿対象空気（１１６）からの吸着量が増加し、除湿対象空気（１１６）の吸着熱による温度上昇量も増加するので、除湿対象物（４）に送風する空気温度が上昇して目標値に近づくことになる。
【００３９】
また、本発明が講じた第１７の課題解決手段は、上記第１、第２、第３、第４、第５、第６、第７、第８、第９、第１０、第１１、第１２、第１３、第１４、第１５または第１６の課題解決手段において、温度制御手段（８）を、設定された運転モードに従って温度制御動作を実行する構成としたものである。
【００４０】
この手段では、温度制御手段（８）が設定された運転モードに従って温度調整動作を実行する。これにより、除湿対象物（４）に送風する空気温度に関わらず、温度制御動作が実行されることになる。
【発明の効果】
【００４１】
本願発明は、かかる構成とすることにより以下に記載されるような効果を奏するものである。
【００４２】
（イ）本願の第１の発明にかかる除湿装置によれば、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給した後、除湿対象物（４）に供給する除湿装置において、前記除湿対象物（４）に供給する空気の温度を制御する温度制御手段（８）を備えた構成とすることによって、除湿対象物（４）に送風する空気温度を所望の温度に調整することができる。
【００４３】
（ロ）本願の第２の発明にかかる除湿装置によれば、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給した後、除湿対象物（４）に供給するとともに、前記放熱器（１０３）に加熱対象空気（６）を供給する除湿装置において、前記除湿対象物（４）に供給する空気の温度を制御する温度制御手段（８）を備えた構成とすることによって、除湿対象物（４）に送風する空気温度を所望の温度に調整することができる。
【００４４】
（ハ）本願の第３の発明にかかる除湿装置によれば、上記（ロ）に記載した効果に加えて、温度制御手段（８）を、放熱器（１０３）に供給された後の加熱対象空気（６）の除湿対象空気（１１６）への合流量を制御する構成とすることによって、放熱器（１０３）で加熱された高温の加熱対象空気（６）の合流量を制御し、除湿対象物（４）に送風する空気温度を所望の温度に調整することができる。
【００４５】
（ニ）本願の第４の発明にかかる除湿装置によれば、上記（ハ）に記載した効果に加えて、温度制御手段（８）を、除湿対象物（４）への供給空気温度が目標値より高いときに、加熱対象空気（６）の合流量を減少させる構成とすることによって、放熱器（１０３）で加熱された高温の加熱対象空気（６）の除湿対象物（４）への供給量を減少し、除湿対象物（４）に送風する空気温度を低下させて目標値に近づけることができる。
【００４６】
（ホ）本願の第５の発明にかかる除湿装置によれば、上記（ハ）または（ニ）に記載した効果に加えて、温度制御手段（８）を、除湿対象物（４）への供給空気温度が目標値より低いときに、加熱対象空気（６）の合流量を増加させる構成とすることによって、放熱器（１０３）で加熱された高温の加熱対象空気（６）の除湿対象物（４）への供給量を増加し、除湿対象物（４）に送風する空気温度を上昇させて目標値に近づけることができる。
【００４７】
（ヘ）本願の第６の発明にかかる除湿装置によれば、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）とを備え、除湿対象空気（１１６）を前記放熱器（１０３）、前記放湿部（１２１）、前記吸熱器（１０５）、前記吸湿部（１２０）の順に供給した後、除湿対象物（４）に供給するとともに、前記吸湿部（１２０）に除湿補助空気（７）を供給する除湿装置において、前記除湿対象物（４）に供給する空気の温度を調整する温度制御手段（８）を備えた構成とすることによって、除湿対象物（４）に送風する空気温度を所望の温度に調整することができる。
【００４８】
（ト）本願の第７の発明にかかる除湿装置によれば、上記（ヘ）に記載した効果に加えて、温度制御手段（８）を、吸湿部（１２０）に供給された後の除湿補助空気（７）の除湿対象空気（１１６）への合流量を制御する構成とすることによって、吸湿部（１２０）で吸湿された高温低湿の除湿補助空気（７）の合流量を制御し、除湿対象物（４）に送風する空気温度を所望の温度に調整することができる。
【００４９】
（チ）本願の第８の発明にかかる除湿装置によれば、上記（ト）に記載した効果に加えて、温度制御手段（８）を、除湿対象物（４）への供給空気温度が目標値より高いときに、除湿補助空気（７）の合流量を減少させる構成とすることによって、吸湿部（１２０）で吸湿された高温低湿の除湿補助空気（７）の除湿対象物（４）への供給量を減少し、除湿対象物（４）に送風する空気温度を低下させて目標値に近づけることができる。
【００５０】
（リ）本願の第９の発明にかかる除湿装置によれば、上記（ト）または（チ）に記載した効果に加えて、温度制御手段（８）を、除湿対象物（４）への供給空気温度が目標値より低いときに、除湿補助空気（７）の合流量を増加させる構成とすることによって、吸湿部（１２０）で吸湿された高温低湿の除湿補助空気（７）の除湿対象物（４）への供給量を増加し、除湿対象物（４）に送風する空気温度を上昇させて目標値に近づけることができる。
【００５１】
（ヌ）本願の第１０の発明にかかる除湿装置によれば、冷媒（１１７）を圧縮する圧縮機（１０２）と前記冷媒（１１７）が供給空気に対して放熱する放熱器（１０３）と前記冷媒（１１７）が膨張する膨張機構（１０４）と前記冷媒（１１７）が供給空気から吸熱する吸熱器（１０５）とを有するヒートポンプ（１１８）と、供給空気から吸湿する吸湿部（１２０）および供給空気に放湿する放湿部（１２１）を有する吸放湿手段（１１９）と、供給空気を加熱する加熱手段（１６）とを備え、除湿対象空気（１１６）を前記放熱器（１０３）および前記加熱手段（１６）で加熱し、次に前記放湿部（１２１）の放湿により加湿し、次に前記吸熱器（１０５）の吸熱により冷却し、次に前記吸湿部（１２０）の吸湿により除湿した後、除湿対象物（４）に供給する除湿装置において、前記除湿対象物（４）に供給する空気の温度を制御する温度制御手段（８）を備えた構成とすることによって、除湿対象物（４）に送風する空気温度を所望の温度に調整することができる。
【００５２】
（ル）本願の第１１の発明にかかる除湿装置によれば、上記（ヌ）に記載した効果に加えて、温度制御手段（８）を、加熱手段（１６）の加熱量を制御する構成とすることによって、加熱手段（１６）の加熱による除湿対象空気（１１６）の温度上昇量を制御し、除湿対象物（４）に送風する空気温度を所望の温度に調整することができる。
【００５３】
（ヲ）本願の第１２の発明にかかる除湿装置によれば、上記（ル）に記載した効果に加えて、温度制御手段（８）を、除湿対象物（４）への供給空気温度が目標値より高いときに、加熱手段（１６）の加熱量を減少させる構成とすることによって、加熱手段（１６）の加熱による除湿対象空気（１１６）の温度上昇量を減少させ、除湿対象物（４）に送風する空気温度を低下させて目標値に近づけることができる。
【００５４】
（ワ）本願の第１３の発明にかかる除湿装置によれば、上記（ル）または（ヲ）に記載した効果に加えて、温度制御手段（８）を、除湿対象物（４）への供給空気温度が目標値より低いときに、加熱手段（１６）の加熱量を増加させる構成とすることによって、加熱手段（１６）の加熱による除湿対象空気（１１６）の温度上昇量を増加させ、除湿対象物（４）に送風する空気温度を上昇させて目標値に近づけることができる。
【００５５】
（カ）本願の第１４の発明にかかる除湿装置によれば、上記（イ）、（ロ）、（ハ）、（ニ）、（ホ）、（ヘ）、（ト）、（チ）、（リ）、（ヌ）、（ル）、（ヲ）または（ワ）に記載した効果に加えて、吸放湿手段（１１９）を、ハニカムローター（１０８）に担持された吸着剤（１０７）が、吸湿部（１２０）において除湿対象空気（１１６）から水分を吸着するとともに放湿部（１２１）において除湿対象空気（１１６）へ水分を脱着するように前記ハニカムローター（１０８）を配し、前記ハニカムローター（１０８）の回転によって、前記吸湿部（１２０）における水分吸着と前記放湿部（１２１）における水分脱着を繰り返すように構成し、温度制御手段（８）を、前記ハニカムローター（１０８）の回転速度を制御する構成とすることによって、吸着剤（１０７）の除湿対象空気（１１６）からの吸着量を変化させて除湿対象空気（１１６）の吸着熱による温度上昇量を制御し、除湿対象物（４）に送風する空気温度を所望の温度に調整することができる。
【００５６】
（ヨ）本願の第１５の発明にかかる除湿装置によれば、上記（カ）に記載した効果に加えて、温度制御手段（８）を、除湿対象物（４）への供給空気温度が目標値より高いときに、ハニカムローター（１０８）の回転速度を遅くするもしくは停止する構成とすることによって、吸着剤（１０７）の除湿対象空気（１１６）からの吸着量を減少して除湿対象空気（１１６）の吸着熱による温度上昇量を減少させ、除湿対象物（４）に送風する空気温度を低下させて目標値に近づけることができる。
【００５７】
（タ）本願の第１６の発明にかかる除湿装置によれば、上記（カ）または（ヨ）に記載した効果に加えて、温度制御手段（８）を、除湿対象物（４）への供給空気温度が目標値より低いときに、ハニカムローター（１０８）の回転速度を速くする構成とすることによって、吸着剤（１０７）の除湿対象空気（１１６）からの吸着量を増加して除湿対象空気（１１６）の吸着熱による温度上昇量を増加させ、除湿対象物（４）に送風する空気温度を上昇させて目標値に近づけることができる。
【００５８】
（レ）本願の第１７の発明にかかる除湿装置によれば、上記（イ）、（ロ）、（ハ）、（ニ）、（ホ）、（ヘ）、（ト）、（チ）、（リ）、（ヌ）、（ル）、（ヲ）、（ワ）、（カ）、（ヨ）または（タ）に記載した効果に加えて、温度制御手段（８）を、設定された運転モードに従って温度制御動作を実行する構成とすることによって、除湿対象物（４）に送風する空気温度に関わらず、温度制御動作を実行することができる。
【発明を実施するための最良の形態】
【００５９】
以下、本発明の実施の形態について図面を参照しながら説明する。なお、従来の例と同一の構成要素については同一の符号を用い、詳細な説明は省略する。
【００６０】
（実施の形態１）
図１は、本発明の実施形態１にかかる除湿装置の概略構成を示した図である。図１に示すように、除湿対象空間１内に除湿装置の本体１０１を配置し、この本体１０１内に、圧縮機１０２、放熱器１０３、膨張機構１０４、吸熱器１０５を配管接続した冷媒回路１０６と、供給空気から吸湿する吸湿部１２０および供給空気に対して放湿する放湿部１２１を有する吸放湿手段１１９を設けている。冷媒回路１０６内には冷媒１１７を充填し、本体１０１には吸込口１１２と吹出口１１３と排気口２を開口した構成としている。そして、第１ファン３の運転によって、除湿対象空間１内の空気である除湿対象空気１１６を吸込口１１２から本体１０１内に吸引し、放熱器１０３、放湿部１２１、吸熱器１０５、吸湿部１２０の順に供給した後、吹出口１１３から本体１０１外部の除湿対象物４に向けて供給するように風路を形成するとともに、第２ファン５の運転によって、同じく除湿対象空間１内の空気である加熱対象空気６および除湿補助空気７を吸込口１１２から本体１０１内に吸引し、加熱対象空気６を放熱器１０３に供給するとともに除湿補助空気７を吸湿部１２０に供給し、これら加熱対象空気６と除湿補助空気７を合流して排気口２から本体１０１外部に吹出すように風路を形成している。また、温度制御手段８として、排気口２から排気される加熱対象空気６と除湿対象空気７の合流空気の一部を除湿対象物４に供給する除湿対象空気１１６へ合流させる切換ダンパー９を備えた構成としている。この切換ダンパー９は、本体１０１外面に設けられたレバー１０部と連結しており、レバー部１０を操作することによって、加熱対象空気６と除湿補助空気７の合流空気を全て排気口２から排出する風路Ａと、加熱対象空気６と除湿補助空気７の合流空気の一部を除湿対象物４に供給する除湿対象空気１１６に合流させ、残りを排気口２から排気する風路Ｂとの切換が可能となっている。そして、圧縮機１０２により冷媒１１７を圧縮することによって、冷媒１１７が、放熱器１０３、膨張機構１０４、吸熱器１０５の順に冷媒回路１０６内を循環し、放熱器１０３に供給される除湿対象空気１１６および加熱対象空気６に対して放熱するとともに吸熱器１０５に供給される除湿対象空気１１６から吸熱することによってヒートポンプ１１８を動作させる構成となっている。
【００６１】
図２は、図１に示した除湿装置の吸放湿手段１１９の詳細構成を示した図である。吸放湿手段１１９は、吸着剤１０７が担持された軸方向に通風可能な円筒状のハニカムローター１０８を備えており、このハニカムローター１０８を回動自在に回転軸１１で支持している。そして、ハニカムローター１０８の外周にギア１２を形成し、このギア１２と回転駆動する駆動モーター１３の歯車部１４にベルト１５を巻装している。また、吸湿部１２０に供給される除湿対象空気１１６および除湿補助空気７と放湿部１２１に供給される除湿対象空気１１６との相互流通を抑制するように風路を仕切っており、駆動モーター１３を駆動することにより、ベルト１５を介してギア１２に駆動力が伝達し、ハニカムローター１０８が回転することになる。このハニカムローター１０８の回転によって吸着剤１０７は、放湿部１２１に供給される除湿対象空気１１６、吸湿部１２０に供給される除湿補助空気７、吸湿部１２０に供給される除湿対象空気１１６の順に接触を繰り返すことになる。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、放湿部１２１で吸着剤１０７と接触する除湿対象空気１１６は、放熱器１０３において冷媒１１７の放熱により加熱された高温かつ低い相対湿度の空気であり、吸湿部１２０で吸着剤１０７と接触する除湿対象空気１１６は、吸熱器１０５において冷媒１１７の吸熱により冷却された低温かつ高い相対湿度の空気であるので、この相対湿度の差によって、吸着剤１０７の吸脱着作用が為されて吸放湿手段１１９が作動することになる。また、吸湿部１２０で吸着剤１０７と接触する除湿補助空気７は、除湿対象空間１内の空気であり、放湿部１２１に供給される除湿対象空気１１６より低温で吸湿部１２０に供給される除湿対象空気１１６より高温となるので、吸着剤１０７が、放熱器１０３の余熱を除湿補助空気７によって除去されて予冷された後に吸湿部１２０に供給される低温の除湿対象空気１１６と接触することになり、吸着剤１０７の水分吸着量が増加する。次に除湿装置の動作を説明する。
【００６２】
図３は、図１に示した除湿装置の冷媒１１７の状態変化を示すモリエル線図（圧力−エンタルピ線図）である。図３に示した点Ａ、点Ｂ、点Ｃ、点Ｄを矢符で結んだサイクルは、冷媒回路１０６内を循環する冷媒１１７の状態変化を示しており、冷媒１１７は圧縮機１０２において圧縮されることにより圧力とエンタルピが上昇して点Ａから点Ｂの状態変化を行い、放熱器１０３において供給される除湿対象空気１１６および加熱対象空気６に対して放熱することによりエンタルピが減少して点Ｂから点Ｃの状態となる。次に膨張機構１０４において膨張して減圧することにより圧力が低下して点Ｃから点Ｄの状態変化を行い、吸熱器１０５において供給される除湿対象空気１１６から吸熱することによりエンタルピが増加して点Ｄから点Ａの状態に戻る。このような冷媒１１７の状態変化により、吸熱器１０５において吸熱し、放熱器１０３において放熱するヒートポンプ１１８が動作し、この時、点Ｂと点Ｃのエンタルピ差に冷媒１１７の循環量を乗じた値が放熱器１０３における放熱量、点Ａと点Ｄ（点Ｃ）のエンタルピ差に冷媒１１７の循環量を乗じた値が吸熱器１０５における吸熱量となり、放熱量と吸熱量の差、即ち点Ｂと点Ａのエンタルピ差に冷媒１１７の循環量を乗じた値が圧縮機１０２の圧縮仕事量になる。
【００６３】
図４は、図１に示した除湿装置の除湿対象空気１１６、加熱対象空気６および除湿補助空気７の状態変化を示す湿り空気線図である。図４に示した湿り空気線図において、まず、点ａの状態の除湿対象空気１１６と加熱対象空気６が放熱器１０３に供給され、冷媒１１７の放熱により加熱されて何れも点ｂの状態となり、加熱対象空気６は点ｂの状態のまま第２ファン５に吸引される。一方、除湿対象空気１１６は、次に放湿部１２１に供給されてハニカムローター１０８に担持された吸着剤１０７が保有している水分を脱着することにより加湿され、湿度が上昇するとともに温度が低下して点ｃの状態となる。点ｃの状態となった除湿対象空気１１６は次に吸熱器１０５に供給され、冷媒１１７の吸熱により露点温度以下まで冷却されて点ｄの飽和状態となる。この時に飽和した水分は凝縮水としてタンクに回収される。点ｄの状態となった除湿対象空気１１６は、次に吸湿部１２０に供給され、吸着剤１０７に水分を吸着されることによって除湿されて湿度が低下するとともに温度が上昇し、点ｅの状態の乾燥空気となって第１ファン３に吸引される。また、点ａの状態の除湿補助空気７が吸湿部１２０に供給されて吸着剤１０７が保有する放熱器１０３の余熱を除去するとともに吸着剤１０７に水分を吸着されることによって除湿され、温度が上昇するとともに湿度が低下して点ｆの乾燥空気となる。点ｆの状態となった除湿補助空気７は第２ファン５に吸引され、点ｂの状態の加熱対象空気６と合流する。点ｆの状態の除湿補助空気７と点ｂの状態の加熱対象空気６とが合流した合流空気は、各々の風量比率に従い点ｇの状態となる。ここで切換ダンパー９を風路Ａ側に設定した場合には、点ｇの状態の合流空気が全て排気口２から排出されるため、吹出口１１３からは点ｅの状態の除湿対象空気１１６のみが排出され除湿対象物４に供給される。逆に切換ダンパー９を風路Ｂ側に設定した場合は、点ｇの状態の空気の一部が、点ｅの状態の除湿対象空気１１６に合流することになる。この点ｇの状態の合流空気の一部と点ｅの状態の除湿対象空気１１６との合流空気は各々の風量比率に従って点ｈの状態となる。この点ｈの状態の空気が吹出口１１３より除湿対象物４へ供給され、点ｇの状態の除湿対象空気１１６と合流しなかった残りの空気が排気口２から排気されることになる。このようにして切換ダンパー９を風路Ａ側と風路Ｂ側とに切り換えることによって、吹出口１１３から除湿対象物４へ供給する空気温度を、点ｅの状態の空気温度（低温モード）と点ｈの状態の空気温度（高温モード）とに切り換えることが可能となる。従って使用者が切換ダンパー９に連動したレバー１０部を操作することによって、運転モードを低温モードと高温モードの何れかに設定し、この設定された運転モードに従って除湿装置が温度制御動作を実行することができる。例えば、使用者が除湿対象物４に供給されている空気温度が所望値より低いと判断した場合は、切換ダンパー９を風路Ａ側から風路Ｂ側に切り換えることによって除湿対象物４への供給空気温度を高くし、逆に除湿対象物４に供給されている空気温度が所望値より高いと判断した場合には、切換ダンパー９を風路Ｂ側から風路Ａ側に切り換えることによって除湿対象物４への供給空気温度を低くすることが可能となるのである。
【００６４】
また、図４の湿り空気線図に示した空気状態変化において、吸熱器１０５で回収される凝縮水の量は、点ｃと点ｄの絶対湿度差に除湿対象空気１１６の重量換算風量を乗じた値、また、放湿部１２１における放湿量は、点ｃと点ｂの絶対湿度差に除湿対象空気１１６の重量換算風量を乗じた値、そして吸湿部１２０における吸湿量は、点ｄと点ｅの絶対湿度差に除湿対象空気１１６の重量換算風量を乗じた値と点ａと点ｆの絶対湿度差に除湿補助空気７の重量換算風量を乗じた値との加算値となる。理想状態では、放湿部１２１の出口空気状態を示す点ｃは、吸湿部１２０の入口空気状態を示す点ｄと同一の相対湿度である点ｃ’に近づき、吸湿部１２０の出口空気状態を示す点ｅは、放湿部１２１の入口空気状態を示す点ｂと同一の相対湿度である点ｅ’に近づく。したがって点ｄの相対湿度を上昇させ、点ｂの相対湿度を低下させること、即ち、点ｄで示した吸湿部１２０への供給空気と点ｂで示した放湿部１２１への供給空気との相対湿度差を拡大することが吸放湿量を高めることになり、結果的に除湿効率が向上することになる。さらに点ａと点ｂのエンタルピ差に除湿対象空気１１６の重量換算風量と加熱対象空気６の重量換算風量との加算値を乗じた値が放熱器１０３における放熱量、点ｃと点ｄのエンタルピ差に除湿対象空気１１６の重量換算風量を乗じた値が吸熱器１０５における吸熱量となり、この放熱器１０３における放熱量および吸熱器１０５における吸熱量は、図３の冷媒１１７の状態変化から得られる放熱量および吸熱量と等しくなる。従って、除湿対象空気１１６の供給量を放湿部１２１における放湿、吸熱器１０５における冷却、吸湿部１２０における吸湿の各過程における最適な値に設定した場合に、放熱器１０３における冷媒１１７の必要放熱量に対する不足分を、加熱対象空気６を供給して補足することによって、ヒートポンプ１１８の動作圧力を適正な範囲に保ちつつ、最適量の除湿対象空気１１６を供給することができる。
【００６５】
以上、説明した構成および動作により、本実施形態の除湿装置は以下の効果を奏するものである。
【００６６】
冷媒１１７を圧縮する圧縮機１０２と冷媒１１７が供給空気に対して放熱する放熱器１０３と冷媒１１７が膨張する膨張機構１０４と冷媒１１７が供給空気から吸熱する吸熱器１０５とを有するヒートポンプ１１８と、供給空気から吸湿する吸湿部１２０および供給空気に放湿する放湿部１２１を有する吸放湿手段１１９とを備え、除湿対象空気１１６を放熱器１０３、放湿部１２１、吸熱器１０５、吸湿部１２０の順に供給した後、除湿対象物４に供給する除湿装置において、除湿対象物４に供給する空気の温度を制御する温度制御手段８を備えた構成とすることによって、除湿対象物４に送風する空気温度を所望の温度に調整することができる。
【００６７】
また、冷媒１１７を圧縮する圧縮機１０２と冷媒１１７が供給空気に対して放熱する放熱器１０３と冷媒１１７が膨張する膨張機構１０４と冷媒１１７が供給空気から吸熱する吸熱器１０５とを有するヒートポンプ１１８と、供給空気から吸湿する吸湿部１２０および供給空気に放湿する放湿部１２１を有する吸放湿手段１１９とを備え、除湿対象空気１１６を放熱器１０３、放湿部１２１、吸熱器１０５、吸湿部１２０の順に供給した後、除湿対象物４に供給するとともに、放熱器１０３に加熱対象空気６を供給する除湿装置において、除湿対象物４に供給する空気の温度を制御する温度制御手段８を備えた構成とすることによって、除湿対象物４に送風する空気温度を所望の温度に調整することができる。
【００６８】
また、温度制御手段８を、放熱器１０３に供給された後の加熱対象空気６の除湿対象空気１１６への合流量を制御する構成とすることによって、放熱器１０３で加熱された高温の加熱対象空気６の合流量を制御し、除湿対象物４に送風する空気温度を所望の温度に調整することができる。
【００６９】
また、温度制御手段８を、除湿対象物４への供給空気温度が目標値より高いときに、加熱対象空気６の合流量を減少させる構成とすることによって、放熱器１０３で加熱された高温の加熱対象空気６の除湿対象物４への供給量を減少し、除湿対象物４に送風する空気温度を低下させて目標値に近づけることができる。
【００７０】
また、温度制御手段８を、除湿対象物４への供給空気温度が目標値より低いときに、加熱対象空気６の合流量を増加させる構成とすることによって、放熱器１０３で加熱された高温の加熱対象空気６の除湿対象物４への供給量を増加し、除湿対象物４に送風する空気温度を上昇させて目標値に近づけることができる。
【００７１】
また、冷媒１１７を圧縮する圧縮機１０２と冷媒１１７が供給空気に対して放熱する放熱器１０３と冷媒１１７が膨張する膨張機構１０４と冷媒１１７が供給空気から吸熱する吸熱器１０５とを有するヒートポンプ１１８と、供給空気から吸湿する吸湿部１２０および供給空気に放湿する放湿部１２１を有する吸放湿手段１１９とを備え、除湿対象空気１１６を放熱器１０３、放湿部１２１、吸熱器１０５、吸湿部１２０の順に供給した後、除湿対象物４に供給するとともに、吸湿部１２０に除湿補助空気７を供給する除湿装置において、除湿対象物４に供給する空気の温度を調整する温度制御手段８を備えた構成とすることによって、除湿対象物４に送風する空気温度を所望の温度に調整することができる。
【００７２】
また、温度制御手段８を、吸湿部１２０に供給された後の除湿補助空気７の除湿対象空気１１６への合流量を制御する構成とすることによって、吸湿部１２０で吸湿された高温低湿の除湿補助空気７の合流量を制御し、除湿対象物４に送風する空気温度を所望の温度に調整することができる。
【００７３】
また、温度制御手段８を、除湿対象物４への供給空気温度が目標値より高いときに、除湿補助空気７の合流量を減少させる構成とすることによって、吸湿部１２０で吸湿された高温低湿の除湿補助空気７の除湿対象物４への供給量を減少し、除湿対象物４に送風する空気温度を低下させて目標値に近づけることができる。
【００７４】
また、温度制御手段８を、除湿対象物４への供給空気温度が目標値より低いときに、除湿補助空気７の合流量を増加させる構成とすることによって、吸湿部１２０で吸湿された高温低湿の除湿補助空気７の除湿対象物４への供給量を増加し、除湿対象物４に送風する空気温度を上昇させて目標値に近づけることができる。
【００７５】
また、温度制御手段８を、設定された運転モードに従って温度制御動作を実行する構成とすることによって、除湿対象物４に送風する空気温度に関わらず、温度制御動作を実行することができる。
【００７６】
なお、本実施形態のハニカムローター１０８に担持する吸着剤１０７としては、吸湿性があってハニカムローター１０８に担持でき、さらに水分脱着のためにある程度の耐熱性がある物質であれば良く、例えば、シリカゲル、ゼオライトなどの無機質の吸着型吸湿剤、有機高分子電解質（イオン交換樹脂）などの吸湿剤、塩化リチウムなどの吸収型吸湿剤等を用いることができる。さらに吸着剤１０７は１種類に限るものではなく、上述した吸着剤１０７の２種類以上を組み合わせて用いても良いのである。
【００７７】
また、本実施形態の冷媒回路１０６に充填する冷媒１１７としては、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等を用いることができる。
【００７８】
また、本実施形態では、除湿対象空気１１６、加熱対象空気６および除湿補助空気７として除湿対象空間１内の空気を用いる構成としたが、非除湿対象空間の空気を除湿対象空気１１６、加熱対象空気６あるいは除湿補助空気７の何れかもしくは全てに用いる構成としても良い。
【００７９】
また、本実施形態では、加熱対象空気６および除湿補助空気７の双方を排気口２より除湿対象空間１に供給する構成としたが、加熱対象空気６および除湿補助空気７の双方もしくは何れか一方を非除湿対象空間に排出する構成としても良い。
【００８０】
また、本実施形態では、切換ダンパー９の切り換えをレバー部１０によって手動で行う構成としたが、吹出口１１３から除湿対象物４に供給される空気温度を検出し、供給空気温度の目標値との差異に基づき、切換ダンパー９を自動で制御する構成としても良い。
【００８１】
また、本実施形態では、切換ダンパー９を風路Ａと風路Ｂの２段階に切り換える構成としたが、切換ダンパー９は、加熱対象空気６および除湿補助空気７の除湿対象空気１１６への合流量を制御できるものであれば良く、合流量を多段階に制御するようにしても良い。また、加熱対象空気６および除湿補助空気７の全量を除湿対象空気１１６へ合流可能な風路切換パターンを設けても良いのである。
【００８２】
また、本実施形態の除湿対象物４としては、乾燥や除湿が必要なものであれば全て対象物として用いることが可能であり、洗濯された衣類の他に、結露している窓面や壁面、あるいは入浴後の濡れた人体等も対象とすることが可能である。
【００８３】
（実施の形態２）
図５は、本発明の実施形態２にかかる除湿装置の概略構成を示した図である。図５に示すように、除湿装置の本体１０１内に、圧縮機１０２、放熱器１０３、膨張機構１０４、吸熱器１０５を配管接続した冷媒回路１０６と、供給空気から吸湿する吸湿部１２０および供給空気に対して放湿する放湿部１２１を有する吸放湿手段１１９と、供給空気を加熱する加熱手段１６としてのヒーター１７を設け、冷媒回路１０６内に冷媒１１７を充填した構成としている。また、本体１０１には吸込口１１２と吹出口１１３を開口し、ファン１８の運転によって、除湿対象空気１１６を吸込口１１２から本体１０１内に吸引し、この除湿対象空気１１６を放熱器１０３およびヒーター１７に各々供給した後、放湿部１２１、吸熱器１０５、吸湿部１２０の順に供給して吹出口１１３から本体１０１外部の除湿対象物４に向けて供給するように風路を形成している。そして、圧縮機１０２により冷媒１１７を圧縮することによって、冷媒１１７が、放熱器１０３、膨張機構１０４、吸熱器１０５の順に冷媒回路１０６内を循環し、放熱器１０３に供給される除湿対象空気１１６に対して放熱するとともに吸熱器１０５に供給される除湿対象空気１１６から吸熱することによってヒートポンプ１１８を作動させる構成となっている。
【００８４】
図６は、吸放湿手段１１９の詳細構成を示した図である。吸放湿手段１１９は、吸着剤１０７が担持された軸方向に通風可能な円筒状のハニカムローター１０８を備えており、このハニカムローター１０８を回動自在に回転軸１１で支持している。そして、ハニカムローター１０８の外周にギア１２を形成し、このギア１２と回転駆動する駆動モーター１３の歯車部１４にベルト１５を巻装している。また、ハニカムローター１０８を、吸湿部１２０と放湿部１２１に区分して各々に供給される空気の相互流通を抑制するように風路を仕切っている。そして、ファン１８を運転すると、吸湿部１２０に吸熱器１０５を通過した除湿対象空気１１６（ａ）が供給され、放湿部１２１には放熱器１０３を通過した後にヒーター１７を通過した除湿対象空気１１６（ｂ）と放熱器１０３を通過した除湿対象空気１１６（ｃ）が各々供給される。ここで、駆動モーター１３を駆動するとベルト１５を介してギア１２に駆動力が伝達してハニカムローター１０８が回転し、この回転によって吸着剤１０７が、吸熱器１０５を通過した除湿対象空気１１６（ａ）、放熱器１０３を通過した後にヒーター１７を通過した除湿対象空気１１６（ｂ）、放熱器１０３を通過した除湿対象空気１１６（ｃ）の順に接触を繰り返すことになる。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、吸湿部１２０で吸着剤１０７と接触する除湿対象空気１１６（ａ）は、吸熱器１０５において冷媒１１７の吸熱により冷却された低温かつ高い相対湿度の空気であり、放湿部１２１において吸着剤１０７と接触する除湿対象空気１１６（ｂ）および１１６（ｃ）は、放熱器１０３における冷媒１１７の放熱とヒーター１７の発熱によって加熱された高温かつ低い相対湿度の空気、あるいは放熱器１０３において冷媒１１７の放熱により加熱された高温かつ低い相対湿度の空気であるので、この各々の空気の相対湿度の差によって、吸着剤１０７の吸脱着作用が為されて吸放湿手段１１９が作動することになる。また、除湿対象空気１１６（ａ）との接触時に水分を吸着した吸着剤１０７が、放熱器１０３で加熱された後にヒーター１７で加熱された除湿対象空気１１６（ｂ）と接触した後、放熱器１０３で加熱された除湿対象空気１１６（ｃ）と接触するので、多量の水分を保持している吸着剤１０７と先に接触する除湿対象空気１１６（ｂ）が、吸着剤１０７の水分脱着をより促し易くなる。次に温度制御手段８について説明する。
【００８５】
図７は、本発明の実施形態２にかかる除湿装置の温度制御手段８の詳細構成を示した図である。図７に示すように温度制御手段８は、除湿対象物４に供給される除湿対象空気１１６の温度を検出する温度検出手段１９と、この温度検出手段１９によって検出された除湿対象空気１１６の温度と予め設定した設定値との比較判定を行う比較判定手段２０と、比較判定手段２０の比較判定結果に基づいて駆動モーター１３の回転数を制御する回転数制御手段２１と、同じく比較判定手段２０の比較判定結果に基づいてヒーター１７の加熱量を制御する加熱量制御手段２２とから構成されている。この温度制御手段８のフローチャートを図８に示す。
【００８６】
図８において、まず、温度検出手段１９が除湿対象物４に供給される除湿対象空気１１６の温度Ｔａを検出する。次に比較判定手段２０において温度検出手段１９により検出された温度Ｔａと予め設定した下限設定値ＴａＬおよび上限設定値ＴａＨとの比較判定を行う。比較判定手段２０により除湿対象空気１１６の温度Ｔａが適正範囲、即ち、下限設定値ＴａＬ以上かつ上限設定値ＴａＨ以下と判定された場合は、回転数制御手段２１において駆動モーター１３の回転数Ｍｒを維持するように駆動モーター１３の回転数を設定するとともに、加熱量制御手段２２においてヒーター１７の加熱量Ｈｗを維持するようにヒーター１７の加熱量を設定する。また、比較判定手段２０により除湿対象空気１１６の温度Ｔａが下限設定値ＴａＬより低いと判定された場合は、回転数制御手段２１において駆動モーター１３の回転数Ｍｒを所定の値ｍ増加させるとともに、加熱量制御手段２２においてヒーター１７の加熱量Ｈｗを所定の値ｈ分増加させる。これによりハニカムローター１０８の回転速度が上昇して、吸着剤１０７の除湿対象空気１１６からの吸着量が増加し、除湿対象空気１１６の吸着熱による温度上昇量が増加するとともに、ヒーター１７の加熱による除湿対象空気１１６の温度上昇量が増加して、除湿対象物４に供給される除湿対象空気１１６の温度が上昇することになる。この時の除湿対象空気１１６の状態推移変化を図９の湿り空気線図上に示す。図９において、点ａ→点ｂ→点ｃ→点ｄ→点ｅで示される除湿対象空気１１６の状態推移が、回転数制御手段２１と加熱量制御手段２２の制御動作によって点ａ→点ｂ’→点ｃ’→点ｄ’→点ｅ’で示される状態推移に変化する。即ち、点ａの状態の除湿対象空気１１６が放熱器１０３での冷媒１１７の放熱およびヒーター１７の加熱によって温度が上昇して点ｂの状態となり、次に放湿部１２１においてハニカムローター１０８に担持された吸着剤１０７が保有している水分を脱着することにより加湿されて湿度が上昇するとともに温度が低下して点ｃの状態となり、次に吸熱器１０５において冷媒１１７の吸熱により露点温度以下まで冷却されて点ｄの飽和状態となり、次に吸湿部１２０において吸着剤１０７に水分を吸着されることによって除湿されて湿度が低下するとともに温度が上昇して点ｅの状態となる空気状態推移が、ヒーター１７の加熱量が増加することによって点ｂの温度が上昇して点ｂ’に変化し、これに伴い、点ｃが点ｃ’に、点ｄが点ｄ’に変化し、さらに駆動モーター１３の回転数、即ちハニカムローター１０８の回転速度の上昇によって吸湿部１２０における吸着剤１０７の吸着量が増加するとともに吸着熱による温度上昇量が増加して点ｄ’から点ｅ’の状態となる空気状態推移に変化することになる。除湿対象物４には吸湿部１２０で除湿された後の除湿対象空気１１６が供給されるので、以上の空気状態推移の変化により、点ｅの状態の空気温度と点ｅ’の状態の空気温度との差分だけ除湿対象物４に供給される空気温度Ｔａが上昇することになる。
【００８７】
また、図９のフローチャートにおいて、比較判定手段２０により除湿対象空気１１６の温度Ｔａが上限設定値ＴａＨより高いと判定された場合は、回転数制御手段２１において駆動モーター１３の回転数Ｍｒを所定の値ｍ減少させるとともに、加熱量制御手段２２においてヒーター１７の加熱量Ｈｗを所定の値ｈ分減少させる。これによりハニカムローター１０８の回転速度が低下して、吸着剤１０７の除湿対象空気１１６からの吸着量が減少し、除湿対象空気１１６の吸着熱による温度上昇量が減少するとともに、ヒーター１７の加熱による除湿対象空気１１６の温度上昇量が減少して、除湿対象物４に供給される除湿対象空気１１６の温度が低下することになる。この時の除湿対象空気１１６の状態推移変化を図９の湿り空気線図上に示す。図９において、点ａ→点ｂ→点ｃ→点ｄ→点ｅで示される除湿対象空気１１６の状態推移が、回転数制御手段２１と加熱量制御手段２２の制御動作によって点ａ→点ｂ”→点ｃ”→点ｄ”→点ｅ”で示される状態推移に変化する。即ち、点ａの状態の除湿対象空気１１６が放熱器１０３での冷媒１１７の放熱およびヒーター１７の加熱によって温度が上昇して点ｂの状態となり、次に放湿部１２１においてハニカムローター１０８に担持された吸着剤１０７が保有している水分を脱着することにより加湿されて湿度が上昇するとともに温度が低下して点ｃの状態となり、次に吸熱器１０５において冷媒１１７の吸熱により露点温度以下まで冷却されて点ｄの飽和状態となり、次に吸湿部１２０において吸着剤１０７に水分を吸着されることによって除湿されて湿度が低下するとともに温度が上昇して点ｅの状態となる空気状態推移が、ヒーター１７の加熱量が減少することによって点ｂの温度が低下して点ｂ”に変化し、これに伴い、点ｃが点ｃ”に、点ｄが点ｄ”に変化し、さらに駆動モーター１３の回転数、即ちハニカムローター１０８の回転速度の低下によって吸湿部１２０における吸着剤１０７の吸着量が減少するとともに吸着熱による温度上昇量が減少して点ｄ”から点ｅ”の状態となる空気状態推移に変化することになる。除湿対象物４には吸湿部１２０で除湿された後の除湿対象空気１１６が供給されるので、以上の空気状態推移の変化により、点ｅの状態の空気温度と点ｅ”の状態の空気温度との差分だけ除湿対象物４に供給される空気温度Ｔａが低下することになる。このような制御フローを繰り返すことにより、除湿対象物４に供給する空気温度を所望の範囲内に制御することが可能となるのである。
【００８８】
以上、説明した構成および動作により、本実施形態の除湿装置は以下の効果を奏するものである。
【００８９】
冷媒１１７を圧縮する圧縮機１０２と冷媒１１７が供給空気に対して放熱する放熱器１０３と冷媒１１７が膨張する膨張機構１０４と冷媒１１７が供給空気から吸熱する吸熱器１０５とを有するヒートポンプ１１８と、供給空気から吸湿する吸湿部１２０および供給空気に放湿する放湿部１２１を有する吸放湿手段１１９とを備え、除湿対象空気１１６を放熱器１０３、放湿部１２１、吸熱器１０５、吸湿部１２０の順に供給した後、除湿対象物４に供給する除湿装置において、除湿対象物４に供給する空気の温度を制御する温度制御手段８を備えた構成とすることによって、除湿対象物４に送風する空気温度を所望の温度に調整することができる。
【００９０】
また、冷媒１１７を圧縮する圧縮機１０２と冷媒１１７が供給空気に対して放熱する放熱器１０３と冷媒１１７が膨張する膨張機構１０４と冷媒１１７が供給空気から吸熱する吸熱器１０５とを有するヒートポンプ１１８と、供給空気から吸湿する吸湿部１２０および供給空気に放湿する放湿部１２１を有する吸放湿手段１１９と、供給空気を加熱する加熱手段１６とを備え、除湿対象空気１１６を放熱器１０３および加熱手段１６で加熱し、次に放湿部１２１の放湿により加湿し、次に吸熱器１０５の吸熱により冷却し、次に吸湿部１２０の吸湿により除湿した後、除湿対象物４に供給する除湿装置において、除湿対象物４に供給する空気の温度を制御する温度制御手段８を備えた構成とすることによって、除湿対象物４に送風する空気温度を所望の温度に調整することができる。
【００９１】
また、温度制御手段８を、加熱手段１６の加熱量を制御する構成とすることによって、加熱手段１６の加熱による除湿対象空気１１６の温度上昇量を制御し、除湿対象物４に送風する空気温度を所望の温度に調整することができる。
【００９２】
また、温度制御手段８を、除湿対象物４への供給空気温度が目標値より高いときに、加熱手段１６の加熱量を減少させる構成とすることによって、加熱手段１６の加熱による除湿対象空気１１６の温度上昇量を減少させ、除湿対象物４に送風する空気温度を低下させて目標値に近づけることができる。
【００９３】
また、温度制御手段８を、除湿対象物４への供給空気温度が目標値より低いときに、加熱手段１６の加熱量を増加させる構成とすることによって、加熱手段１６の加熱による除湿対象空気１１６の温度上昇量を増加させ、除湿対象物４に送風する空気温度を上昇させて目標値に近づけることができる。
【００９４】
また、吸放湿手段１１９を、ハニカムローター１０８に担持された吸着剤１０７が、吸湿部１２０において除湿対象空気１１６から水分を吸着するとともに放湿部１２１において除湿対象空気１１６へ水分を脱着するようにハニカムローター１０８を配し、ハニカムローター１０８の回転によって、吸湿部１２０における水分吸着と放湿部１２１における水分脱着を繰り返すように構成し、温度制御手段８を、ハニカムローター１０８の回転速度を制御する構成とすることによって、吸着剤１０７の除湿対象空気１１６からの吸着量を変化させて除湿対象空気１１６の吸着熱による温度上昇量を制御し、除湿対象物４に送風する空気温度を所望の温度に調整することができる。
【００９５】
また、温度制御手段８を、除湿対象物４への供給空気温度が目標値より高いときに、ハニカムローター１０８の回転速度を遅くするもしくは停止する構成とすることによって、吸着剤１０７の除湿対象空気１１６からの吸着量を減少して除湿対象空気１１６の吸着熱による温度上昇量を減少させ、除湿対象物４に送風する空気温度を低下させて目標値に近づけることができる。
【００９６】
また、温度制御手段８を、除湿対象物４への供給空気温度が目標値より低いときに、ハニカムローター１０８の回転速度を速くする構成とすることによって、吸着剤１０７の除湿対象空気１１６からの吸着量を増加して除湿対象空気１１６の吸着熱による温度上昇量を増加させ、除湿対象物４に送風する空気温度を上昇させて目標値に近づけることができる。
【００９７】
なお、本実施形態のハニカムローター１０８に担持する吸着剤１０７としては、吸湿性があってハニカムローター１０８に担持でき、さらに水分脱着のためにある程度の耐熱性がある物質であれば良く、例えば、シリカゲル、ゼオライトなどの無機質の吸着型吸湿剤、有機高分子電解質（イオン交換樹脂）などの吸湿剤、塩化リチウムなどの吸収型吸湿剤等を用いることができる。さらに吸着剤１０７は１種類に限るものではなく、上述した吸着剤１０７の２種類以上を組み合わせて用いても良いのである。
【００９８】
また、本実施形態の冷媒回路１０６に充填する冷媒１１７としては、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等を用いることができる。
【００９９】
また、本実施形態では、温度制御手段８を、温度検出手段１９を用いて空気温度を検出し、この検出した温度と設定値との比較判定を行い、除湿対象物４に供給する空気温度を自動調整する構成としたが、設定される運転モードに従って制御動作を行うようにしてもよい。具体的には、高温モードと低温モードの２つの運転モードを設け、高温モード時は、駆動モーター１３を回転させるとともにヒーター１７の加熱動作を行い、低温モード時は、駆動モーター１３の回転を停止するとともにヒーター１７の加熱を停止するように制御しても良い。
【０１００】
また、本実施形態では、温度制御手段８として、回転数制御手段２１と加熱量制御手段２２の二つの制御手段を備え、駆動モーター１３の回転数とヒーター１７の加熱量の双方を制御する構成としたが、何れか一方のみを制御するように構成しても良い。
【０１０１】
また、本実施形態では、加熱手段１６としてヒーター１７を用いる構成としたが、加熱手段１６はヒーター１７に限るものではなく、供給空気の加熱が可能なものであれば良い。また、本実施形態に使用可能なヒーター１７の種類としては、ニクロムヒーター、ＰＴＣヒーター、ハロゲンヒーター、カーボンヒーター等が挙げられる。
【０１０２】
また、本実施形態の除湿対象物４としては、乾燥や除湿が必要なものであれば全て対象物として用いることが可能であり、洗濯された衣類の他に、結露している窓面や壁面、あるいは入浴後の濡れた人体等も対象とすることが可能である。
【産業上の利用可能性】
【０１０３】
以上のように本発明にかかる除湿装置は、循環経路１１１を要しない簡易な構成で、多様な環境下で効率の良い除湿を行い得るものであり、除湿機、乾燥機、空調機、溶剤回収装置等の高効率な除湿機能が所望される用途に適している。
【図面の簡単な説明】
【０１０４】
【図１】本発明の実施形態１にかかる除湿装置の概略構成を示した図
【図２】同、除湿装置の吸放湿手段１１９の詳細構成を示した図
【図３】同、除湿装置の冷媒１１７の状態変化を示すモリエル線図
【図４】同、除湿装置の除湿対象空気１１６、加熱対象空気６および除湿補助空気７の状態変化を示す湿り空気線図
【図５】本発明の実施形態２にかかる除湿装置の概略構成を示した図
【図６】同、除湿装置の吸放湿手段１１９の詳細構成を示した図
【図７】同、除湿装置の温度制御手段８の詳細構成を示した図
【図８】同、除湿装置の温度制御手段８のフローチャート
【図９】同、除湿装置の除湿対象空気１１６の状態変化を示す湿り空気線図
【図１０】従来の除湿装置の概略構成を示した図
【符号の説明】
【０１０５】
４    除湿対象物
６    加熱対象空気
７    除湿補助空気
８    温度制御手段
１６    加熱手段
１０２  圧縮機
１０３  放熱器
１０４  膨張機構
１０５  吸熱器
１０７  吸着剤
１０８  ハニカムローター
１１６  除湿対象空気
１１７  冷媒
１１８  ヒートポンプ
１１９  吸放湿手段
１２０  吸湿部
１２１  放湿部
【図１】
2006212504.tif 000003
【図２】
2006212504.tif 000004
【図３】
2006212504.tif 000005
【図４】
2006212504.tif 000006
【図５】
2006212504.tif 000007
【図６】
2006212504.tif 000008
【図７】
2006212504.tif 000009
【図８】
2006212504.tif 000010
【図９】
2006212504.tif 000011
【図１０】
2006212504.tif 000012